(57)【要約】  多数のエレベーター（１Ａ．．．１Ｈ）を備えるエレベーターシステムにおいてエレベーターを制御するシステム。本システムは、各フロアー（Ｆ、Ｆ１、Ｆ２、Ｆ３．．．Ｆｎ）の各エレベーター（１Ａ．．．１Ｈ）の待ちエリア内に配置される第１のセンサー手段（２、２Ａ．．．２Ｈ）であって、少なくとも当該の待ちエリアにおいて、エレベーターを待つ乗客の存在及び数に関する情報を与えるように適合される、第１のセンサー手段（２、２Ａ．．．２Ｈ）と、エレベーターを制御する手段であって、エレベーターを待つ乗客の存在及び数に関する情報を、第１のセンサー手段（２、２Ａ．．．２Ｈ）から受信するとともに、第１のセンサー手段（２、２Ａ．．．２Ｈ）から受信した情報を利用して、エレベーターシステムのエレベーターの動きを制御するように適合される、エレベーターを制御する手段と、を備える。【選択図】図３
2013500221.tif 000002
【特許請求の範囲】
【請求項１】
多数のエレベーター（１Ａ．．．１Ｈ）を備えるエレベーターシステムにおいてエレベーターを制御するシステムであって、
各フロアー（Ｆ、Ｆ１、Ｆ２、Ｆ３．．．Ｆｎ）の各エレベーター（１Ａ．．．１Ｈ）の待ちエリア内に配置される第１のセンサー手段（２、２Ａ．．．２Ｈ）であって、少なくとも当該の待ちエリアにおいて、エレベーターを待つ乗客の存在及び数に関する情報を与えるように適合される、第１のセンサー手段（２、２Ａ．．．２Ｈ）と、
前記エレベーターを制御する手段であって、前記エレベーターを待つ乗客の存在及び数に関する情報を、前記第１のセンサー手段（２、２Ａ．．．２Ｈ）から受信し、該第１のセンサー手段（２、２Ａ．．．２Ｈ）から受信した前記情報を利用して、前記エレベーターシステムの前記エレベーター（１Ａ．．．１Ｈ）の動きを制御するように適合される、前記エレベーターを制御する手段と、
を備えることを特徴とする、システム。
【請求項２】
各エレベーター内に配置され、該エレベーター内にいる乗客の存在及び数に関する情報を与えるように適合される、第２のセンサー手段（２’）を更に備えることを特徴とする、請求項１に記載のシステム。
【請求項３】
乗客を誘導する手段（３）を更に備えることを特徴とする、請求項１又は２に記載のシステム。
【請求項４】
前記センサー手段（２、２’）は、容量的に動作する平面センサーであることを特徴とする、請求項１乃至３のいずれか１項に記載のシステム。
【請求項５】
前記エレベーターシステムに対する呼びを与える、少なくともエレベーターロビー内の手段（５）を更に備えることを特徴とする、請求項１乃至４のいずれか１項に記載のシステム。
【請求項６】
エレベーターロビー内で前記エレベーター（１Ａ、１Ｂ、１Ｃ．．．１Ｈ）の待ちエリアに対して少なくとも所望の移動方向に応じて乗客を誘導するように適合されるガイダンス手段（３、３Ａ．．．３Ｈ）を備えることを特徴とする、請求項１乃至５のいずれか１項に記載のシステム。
【請求項７】
前記ガイダンス手段（３、３Ａ．．．３Ｈ）は光源バンド（３）を備えることを特徴とする、請求項１乃至６のいずれか１項に記載のシステム。
【請求項８】
前記ガイダンス手段（３、３Ａ．．．３Ｈ）は光源（３０）を備え、該光源（３０）の表示はエクスプレス情報を示すために使用されることを特徴とする、請求項１乃至７のいずれか１項に記載のシステム。
【請求項９】
前記第１のセンサー手段（２、２Ａ．．．２Ｈ）が、フロアー表面上に、フロアー内に、フロアーカバー材の下に、若しくはフロアー構造の一部として、及び／又は、天井表面上に、天井内に、天井カバー材の上に、若しくは天井構造の一部として適合されることを特徴とする、請求項１乃至８のいずれか１項に記載のシステム。
【請求項１０】
前記光源バンド（３）は、ＬＥＤ光源である光源（３０）を備えることを特徴とする、請求項１乃至９のいずれか１項に記載のシステム。
【請求項１１】
前記センサー手段は、平面センサーウェブ構造であり、該平面センサーウェブ構造は、基板と、該基板上に形成されるセンサー素子を形成する導電性エリア（２１）と、該センサー素子を出力コネクター（２３）に接続する導体（２２）とを備え、前記センサー手段は、容量検出によって導電性対象物を監視するように適合されることを特徴とする、請求項１乃至１０のいずれか１項に記載のシステム。
【発明の詳細な説明】
【技術分野】
【０００１】
本発明の目的は、請求項１のプリアンブルに規定されるシステムである。
【０００２】
本発明は、包括的に、エレベーターシステム、エレベーターシステムに関連してエレベーターを制御すること及び乗客に指示することに関する。
【背景技術】
【０００３】
今日、エレベーターは、通常、例えば高層建築物又は大勢の乗客が輸送される建築物又は船舶において、多数のエレベーターの群として使用される。これらのタイプの船舶は、例えば、巡航定期船等の客船である。これらは、エレベーターの運転の観点から、種々の難解な状況を含む。通常、これらのタイプの状況は、大勢の人々が、或るデッキ／フロアーから多数の異なるフロアー／デッキに短時間で移動したいと思う状況である。これは、例えば乗客が乗船するとき、及び、乗客が入口デッキから客室に移動するときのタイプの状況である。他方で、対応する状況は、例えば、大勢の人々が食堂に移動したいと思う、巡航定期船（大型船舶では、多数のフロアーを備え、数千人の収容力を有することができる）上でのディナーの時間である。非常に大型の巡航定期船では、収容力は、５，０００人を超えることさえあり得る。この場合、一方で、エレベーターユーザーを、彼らが望む行き先に効率的に移送することが望ましく、他方で、利用可能なエレベーター収容力をその最大限まで利用することが望ましい。それぞれが複数のエレベーターからなる、利用可能なエレベーター群は、互いから或る距離をおいて位置することがあり、その場合、ピークトラフィックの状況においては、様々なエレベーター群の収容力が不均等に分配されることになり、また、エレベーター群の収容力を最大限に利用することが可能でなくなるという危険が存在することが多い。
【０００４】
乗客が２つの異なるエレベーター群を使用するように計画されたとしても、乗客は、主に１つだけのエレベーター群を使用するために集まる可能性があり、混雑を引き起こす可能性がある。ユーザーの動き及び行き先フロアーは、従来技術の解決策を用いて確実に推定することは難しく、それにより、エレベーターの利用率を予測することはやっかいである。
【０００５】
他方で、閑散期間中、乗客を運ぶために必要とされるエネルギーを最適にしながら、最も効率的な方法でエレベーター群のエレベーターを制御することが常に可能であるわけではない。これは、特に、様々なフロアーでエレベーターを待つ乗客の数を監視することが、システムにおいて、通常可能でなかったからである。一方で、システムは、十分に効率的な方法でエレベーター群の正しいエレベーターに向かうよう乗客に指示することができておらず、他方で、エレベーターの呼び（call）を行った１人の乗客又は乗客の群がエレベーターを待つのに飽きて、階段を選択してしまう（その場合、エレベーターは、エレベーターの呼びがそこから行われたフロアーで不必要に停止する可能性がある）状況を考慮することがシステムにおいて可能になっていない。特に上方向への不必要な停止及び始動は、エネルギーを消費し、エネルギーの効率的な使用は、当然ながら、最新のエレベーターシステムの１つの目標である。
【０００６】
したがって、本発明の目的は、それによって従来技術の問題を回避できる新しいタイプの解決策を達成することである。本発明の１つの目的は、それによって、エレベーターシステムを効率的に利用することで、大勢の乗客が、呼び時間及び／又は移動時間を最小にすることによって移動できる解決策を達成することである。他方で、別の目的は、乗客を、エレベーターシステムの異なるエレベーターに又は異なる輸送設備に向かうよう効率的に指示することである。さらに、本発明による別の目的は、それによって、少なくとも乗客数が少ないときに、エレベーターシステムをエネルギー効率的な方法で制御することができる解決策を達成することである。
【発明の概要】
【０００７】
本発明は、少なくとも１つのセンサーが、様々なフロアーにおける、エレベーターの前方にあるエレベーターロビーに配置され、そのセンサーが、エレベーターを待っている乗客の数を識別するという概念に基づく。さらに、本発明の目的は、最適化された方法で指示システムによって、乗客を、乗客の移動方向に応じてエレベーターに向かうよう指示することである。なお別の目的は、エネルギーの使用を最適にすることによって乗客の移動イベントを実施することが試みられる解決策を達成することである。
【０００８】
本発明によるシステムは、請求項１で開示されるものを主に特徴とする。
【０００９】
本発明によるシステムはまた、請求項２乃至１１で開示されるものを特徴とする。
【００１０】
本発明による解決策は、いくつかの有意な利点を有する。本発明によれば、エレベーター群のエレベーターの前で、センサー、より詳細には容量センサーを使用することによって、各フロアーのエレベーターを待つ乗客に関する情報が得られる。乗客がどの方向（上又は下）に向かっているかに関する情報データとそれに関連するエレベーターの収容力データとをリンクすることによって、及び、乗客に指示することによって、エレベーターシステムの制御、及びその収容力の最大化及び／又は最適化について、並びに、エネルギー及び／又は必要とされる電力の最適化について効率的な解決策が達成される。
【００１１】
本発明による方法及びシステムは、時間的にその瞬間における最良のルートオプションに向かうガイダンスを提供することによって、エレベーターシステムの混雑を効果的に低減し、また同様に、乗客の移動時間を低減する。乗客が、より良く（より均等に）分配されるため、エレベーターシステムの設備の収容力は、以前よりも効率的に利用することができる。これが事実であるため、エレベーターの最大収容力が低減され、輸送システムの効率を改善することができる。
【００１２】
さらに、移動時間及び待ち時間が、乗客にとってより短くなり、その場合、システムはまた、乗客の欲求不満を低減し、移動の満足感を改善する。本発明の１つの利点はまた、システムの収容力に応じて適した輸送設備に乗客を誘導することができ、その場合、乗客によって使用される総移動時間が以前よりも短くなることである。
【００１３】
以下では、本発明は、添付図面を参照していくつかの実施形態を使用して詳細に述べられる。
【図面の簡単な説明】
【００１４】
【図１】本発明による解決策の配置構成の略図である。
【図１ａ】略線図としての、本発明による解決策の一部の略図である。
【図２】本発明による解決策において適用可能なデバイスの略図である。
【図３】本発明による１つの配置構成の略線図である。
【図４】線図としての、本発明によるシステムの一実施形態を示す図である。
【発明を実施するための形態】
【００１５】
図１は、エレベーター群に関連する本発明による解決策の一実施形態を提示し、エレベーター群のエレベーター１Ａ、１Ｂ、１Ｃ、１Ｄの入口が、フロアーに並んでいる。センサー２Ａ、２Ｂ、２Ｃ、２Ｄは、エレベーターの前に配置され、そのセンサーは、例えばフロアーに又は天井に配置される。センサーは、通常、エレベーターの前にいる人々の数に関する情報を与えることができるタイプのものである。１つの好ましいセンサータイプは、フロアー表面の下に配置することができる容量センサーである。一実施形態によれば、１つの好ましいセンサータイプは、例えばタイル張りフロアーのセラミックタイルの下で使用することもできる。
【００１６】
図１はまた、少なくとも光源バンド３を備える、乗客を誘導する配置構成を提示する。光源バンド３は、図では、様々なエレベーター１Ａ、１Ｂ、１Ｃ、１Ｄの付近に至る光源バンドセクション３Ａ、３Ｂ、３Ｃ、３Ｄを備える。光源バンドは、光源バンドが示す、色等のその特性が、制御された方法で変化できるタイプのものである。少なくとも２つの状態を、光源バンド３又はその一部について達成することができる。動きの印象がもたらされるように、光源３０が点灯したり消灯したりする動的状態が提供されることができる。この場合、人は、光源バンドの光源によってもたらされる動きの印象を見ると、光源バンド３の「動き」の移動方向に誘導される。通常、動きの印象は、光源を群で制御することによってもたらされ、動きは、次の光源を点灯し、相応して前の光源を消灯することによって示される。光源は、バンド、より詳細には導体バンドになるように配置／接続され、光源は、上述した方法で制御される。この場合、動きの印象は、光源によって、すなわち光を「走行させること」によって達成され、上述した動きの印象は、光源バンド３の少なくとも一部の距離、通常、全光源バンドの距離にわたって達成される。第１の状態、すなわち動的状態における、光源バンド３の「動く」光は、通常、例えば、１つの光源の光がスイッチオンされ、２つの他の光源がスイッチオフされる３つの光源の群から生成される。動きは、次の光源が点灯（スイッチオン）し、前の光源が消灯（スイッチオフ）すると生成される。光源バンド３は、次々に連続して接続することができ、その場合、動きの印象は、１つの光源バンドから次の光源バンドへ継続できる。光によってもたらされる動きの速度は、そのように望まれる場合には調整することができ、また同様に、動きの方向も変更することができる。
【００１７】
光源バンド３又は少なくともその一部はまた、バンドの光源又はバンドの一部が光を示す別の状態、すなわち静的状態を有する。通常、静的加算光は、少なくとも１つの光源バンド３内の又は光源バンドの少なくとも一部内の全ての光源が、同時に光を示すために切換えられるように達成される。光源バンドは、動的状態と静的状態との間で状態を変更するように制御することができる。光源バンドはまた、他の動作モードを有することができる。１つの好ましい実施形態では、光源によって示される光の色は、変更することができる。図１ａは、１つの光源バンド３を提示する。光源３０は、好ましくは、例えば発光ダイオード、すなわちＬＥＤ光源とすることができ、導体バンド３１、例えばフィンランド特許第１０８１０６号公報に提示されている導体バンドに固定される。
【００１８】
光源は、通常、制御システム１０によって制御され、その場合、制御システムは、該制御システムに接続された１つ又は複数のセンサー２から信号を受信する。制御システム１０は、図１ａにおいて単一実体として述べられる。通常、光源バンドは、自分自身の制御システムを有し、その制御システムは、エレベーターシステムの制御システム及び／又はセンサー２の制御システムに物理的に又はプログラム的に接続される。
【００１９】
センサー２は、通常、平面電極センサーである。平面電極センサーは、例えば国際公開第２００５／０２０１７１号に記載されているように、乗客等の人の動き及び場所を電気的に監視するために、例えばフロアー構造内で使用することができる。このタイプのセンサーは、例えば、ロビー空間内等の部屋内の人々を、特に人々の動き及びおそらくは人々の生体機能も監視するために使用することができる。国際公開第２００６／００３２４５号は、電場を検出する１つのセンサー構造を提示しており、センサーは、ウェブ形態であり、シーケンシャルな導電性エリアを備える。導電性エリアは、通常、金属であり、例えば印刷された層、ラミネートされた層、エッチングされた層、又はフィルムとして基板上に形成することができる。金属は、通常、国際公開第２００８／０６８３８７号に開示されているようにアルミニウム又は銅である。当該の公報によるセンサーウェブは、金属箔をリリースウェブに積層することによって製造することができ、その後、導電性エリア及び導電性エリアに接続する箔タイプ接続リード線が、金属箔から打ち抜かれる。その後、保護層が、導電性箔タイプエリア及び接続リード線上に積層され、リリースウェブが取り除かれ、バッキングフィルムが、リリースウェブを置換するために積層される。当該の製造方法は、２つ以上の重ね合わせた層を備えるタイプのセンサーウェブにも適用することができる。その場合、第１の層は、導電性エリア及びそのリード線を備えることができ、第２の層は、例えばＲＦループ及びそのリード線を備えることができる。センサーウェブは、出力接続部であって、当該の接続部を介して測定電圧及び制御信号を供給する制御電子機器に接続ケーブルを用いてセンサーウェブを接続する、出力接続部を備える。
【００２０】
図２は、国際公開第２００８／０６８３８７号による従来技術の平面センサー箔構造を提示し、従来技術の平面センサー箔構造は、容量検出によって、導電性点、例えば、人の部屋内での動き及び位置を監視するために使用することができるセンサーウェブＷを備える。センサーウェブＷは、長手方向ＬＤで見ると、２つの列のシーケンシャルかつ平行な導電性箔エリア２１を備える。導電性箔エリア２１間に箔タイプ接続リード線２２も存在し、そのリード線は、上側列の導電性エリア２１を左の出力コネクター２３に、下側列の導電性エリア２１を右の出力コネクター２３に接続する。導体２２は、並んでおり、直線状で、平行であり、長手方向ＬＤに対して小さな角度を形成する。これらの出力接続部から、箔構造は、接続ケーブルを用いて制御ユニットに接続され、このため、制御ユニットを用いて例えば部屋内の人が監視される。当然ながら、箔構造のサイズは、監視される面積に応じて寸法決定され、ウェブは、例えば部屋全体のフロアー面積を覆うために、例えば並んで設置することができる。センサーは、基板と、基板上に形成されるセンサー素子を形成する導電性エリア２１と、センサー素子を出力コネクター２３に接続する導体２２を備える。導電性エリア及び導体は、例えばエッチングされた銅又は対応する金属から形成することができる。保護層は基板上にある。
【００２１】
センサー２又はセンサー手段は、例えばセンサー製品とすることができ、センサー製品のタイプは、例えば米国特許出願公開第２００８２３８４３３号（SENSOR PRODUCT FOR ELECTRIC FIELD SENSING：電界検出用センサー製品）に提示されている。センサー製品は、平面センサーとして配置され、監視エリア内での人々の存在又は動きを識別するように配置することができる。センサーは、フロアーに、壁に、又は天井に、構造の表面内に、その上に、又はその下に隠すことができる。
【００２２】
図１では、センサー又はセンサーエリア２Ａ、２Ｂ、２Ｃ、２Ｄは、エレベーター１Ａ、１Ｂ、１Ｃ、１Ｄの入口の付近に、通常入口の前に配置される。図の実施形態では、センサーは、フロアーに配置されるが、他の場所、例えば天井又は壁に配設することもできる。本発明で利用されるセンサーをフロアーに配設すると、センサーは、フロアー表面の一部となることができるか、又はフロアー表面の下に配置することができる。
【００２３】
図３は、本発明を利用するシステムの一実施形態を提示し、乗客は、建築物又は船舶のエレベーターロビー又は対応する空間において指示される。
【００２４】
本発明によれば、光源バンドによってエレベーターに向かうように乗客に指示することができる。さらに、或る方向に向かっているエレベーターに、光源バンドによって示される或る色によって通知を行うことができる。例えば、青色を示すことは、エレベーターが上に向かっていることを意味し、黄色を示すことは、エレベーターが下に向かっていることを意味する。さらに、エレベーターに関して知らせるために、更なるインジケーターを使用することができる。
【００２５】
１つの好ましい実施形態によれば、フロアーにやって来る第１の乗客は、エレベーターの呼びボタン５を押し、その呼びボタンには、乗客が所望する移動方向を設定することができる。この場合、光源バンド３の部分３Ａ、３Ｂ、３Ｃ、３Ｄ及び／又はエレベーターのポイントに設置された別の表示手段６Ａ、６Ｂ、６Ｃ、６Ｄ等のインジケーターは、呼びを発する人に正しいエレベーターを示す。同時に、光源バンドは、同様の方法で、他の乗客を同様にエレベーターのポイントに向かうよう指示しようと試みる。エレベーター１Ａ、１Ｂ、１Ｃ、１Ｄの前に配置されたセンサー２Ａ、２Ｂ、２Ｃ、２Ｄは、乗客の数を識別し、乗客数に関する情報を制御システムに送信する。制御システムは、所望の方法でエレベーター群の様々なエレベーターに最適に分かれるように乗客に指示する手段を用いて乗客に指示しようと試みる。
【００２６】
図３は、１つのフロアーに関する、一実施形態による解決策の平面線図を提示する。エレベーターシステムは、２つの群に物理的に分割される８つのエレベーター１Ａ、１Ｂ、１Ｃ、１Ｄ、１Ｅ、１Ｆ、１Ｇ、１Ｈを備える。エレベーター１Ａ、１Ｂ、１Ｃ、１Ｄは第１の群内であり、エレベーター１Ｅ、１Ｆ、１Ｇ、１Ｈは第２の群内にある。それによって、エレベーターを待つ乗客の数に関する情報が得られる、センサー２Ａ．．．２Ｈは、エレベーターの前のエレベーターロビーに配置される。さらに、エレベーター群の付近に、エスカレーター４Ａ、４Ｂ等の階段が存在する。センサーはまた、階段に接続して配置することができ、そのセンサーによって、階段で運ばれる乗客の流れを監視することができる。光源バンド３によって、収容力が高い期間中、エレベーター１Ａ．．．１Ｈに向かうよう乗客に最適に指示することが試みられ、収容力の限界になると、エスカレーター４Ａ、４Ｂを使用するように乗客の一部に指示することが試みられる。エスカレーターのセンサーによって、例えば、エスカレーターの速度もまた、必要な場合調整することもできるし、乗客の流れの動きに関するセンサーからやって来る情報が、これについての指示を与える場合、エスカレーターは、必要な場合停止することもできる。
【００２７】
センサーによって監視されるエリア内に何人の乗客がいるかに関する情報が、センサーから受信される。センサーによって監視されるエリアは、例えば図１又は図３に提示されるような、エレベーターロビーの各エレベーターの待ちエリアとすることができる。乗客は、光源バンド３又は他の情報手段等のガイダンス手段を用いて、適したエレベーターの待ちエリアに向かうよう指示される。待ちエリア内に配置されたセンサーは、各エレベーターを待つ乗客に関する情報を制御システムに与える。システムは、収容力に応じて、又は、別の所望の制御方法、例えばエネルギーを節約する方法に応じて乗客に指示するように適合される。乗客のガイダンスにおいて、基準はまた、輸送ルートの品質を記述する１つ又は複数の性能インジケーターとすることができ、性能インジケーターは、例えば、そのルートの輸送設備の利用率、移動時間、待ち時間、総移動時間、歩く距離、統計的情報、及び個人プロファイルである。輸送設備の利用率は、本文脈では、輸送設備の最大収容力のどれだけの割合が使用中であるかを意味する。
【００２８】
ルートの移動時間は、本文脈では、輸送設備で乗客が費やす時間を意味する。総移動時間は、乗客が、標識板又は行き先呼び器具からルートの行き先ポイントまで行くのにかかる時間を意味する。総移動時間は、特に、移送時間、待ち時間及び／又は輸送設備上で費やされた移動時間からなるものとすることができる。時間の一部（例えば、標識板からエスカレーターまでの移送時間）は、一定であると仮定され、情報システムのメモリに前もって記録することができる。様々なルートの品質を評価するために、いわゆるコスト関数を使用することが可能であり、各ルートのいわゆる総コストを計算するために、選択された基準が、所望の重み付け係数で重み付けされる。最も小さな総コストを有するルートオプションが、最も適したルートとして選択され、そのルートオプションが、例えば標識板を用いて乗客に知らされる。コスト関数は、それ自体、例えばエレベーター群のエレベーターを割当てる方法から一般に知られており、本出願ではより詳細には吟味しない。
【００２９】
図４は、本発明による解決策の一実施形態の略線図を更に提示する。図４の実施形態では、エレベーターシステムのエレベーターの３つのエレベーターかご１Ａ、１Ｂ、１Ｃが提示される。各エレベーターの乗客収容力Ｅｃは、図の実施形態では１２人である。ドライブ装置及びエレベーターのローピング又は対応する可動手段は提示されない。エレベーターシステムは、それ自身の制御システムを有する。図は、エレベーターロビーに関して主に４つのフロアーＦ１．．．Ｆ４を線図で提示する。平面センサー２は、本発明の一実施形態に従って、各フロアーランディングＦ１、Ｆ２、Ｆ３、Ｆ４（図の実施形態では、フロアー上である）上のエレベーターロビーに配置される。上記で説明したように、各フロアーでエレベーターを待つ人々の数の表示が、センサー２を用いて得られる。各フロアーでエレベーターを待つ乗客は、移動方向に応じて或るスポットでエレベーターを待つように指示され、その場合、移動方向に応じてエレベーターを待つ乗客の数に関する情報が得られる。図４では、エレベーターを待つ乗客は、上に行きたいか又は下に行きたいかに応じてマーキングされる。上に行きたい乗客は、マーキングＰＵでマーキングされ、相応して、エレベーターを待つ、下に行きたい乗客は、マーキングＰＤでマーキングされる。図４はまた、乗客数に関する数値データとして、また同様に、線図として、或る状況を提示する。したがって、本発明による解決策では、様々なフロアーでエレベーターを待つ乗客の数に関する、また同様に、乗客が移動したいと思う方向に関する情報が、非常に正確に得られる。移動方向は、例えば乗客がエレベーターロビー内の呼び器具を押すときに得られ、その呼び器具上に、所望の移動方向が、例えば矢印を用いて示される。この後、乗客は、例えば本発明の実施形態による光源バンドを用いて、又は、別の情報手段を用いて、最適エレベーターの待ちエリアに向かうよう指示される。論理的な色コード、例えば上方向に青色及び下方向に黄色を適切に使用することによって、第１の人の後にエレベーターロビーにやって来る乗客は、色コード又は他の情報器具によって適したエレベーターを待つように指示される。エレベーターロビーの待ちエリアは、センサー２を備えるため、エレベーターを待つ乗客及び様々なフロアー上の所望の移動方向に関する正確な情報が得られる。エレベーターロビーのセンサー２によって、当該のフロアーでエレベーターを待つ乗客が、何らかの理由で、例えばエレベーターの代わりに階段を使用することを選択した後に、待ちエリアを去ったかどうかに関する情報も得られる。この場合、センサー２から得られる情報は、エレベーターの制御システムに送信され、その情報に基づいて、エレベーターは、たとえそのフロアーの呼びボタンが押されていても、そのフロアーを素通りできる。同時に、呼びは、システムから除去される。
【００３０】
システムは、こうして、エレベーターを待ち、様々な方向に移動したいと思う、様々なフロアーの乗客の数に関する情報を与える。この情報は、エレベーター群のエレベーターを制御するときに使用することができる。エレベーターは、最適化することによって制御することができる。この場合、例えば、エレベーターの収容力が上限にあるときに停止することなく、輸送トリップを行うことができる。他方で、エレベーター乗客の数が、エレベーター輸送能力に関して小さいとき、必要な数の停止が行われることもできるし、移動方向に対して反対の方向からの乗客がピックアップされることさえもできる。その場合、目標は、エレベーターのエネルギー要件の観点から最も安価な解決策である。
【００３１】
エレベーターの加速及び制動は、負荷に応じて最適化される。エレベーターは、エレベーターの支配的な負荷／収容力及び待つ人々の数に応じて停止するように制御される。エレベーター群において、或るフロアーで停止し、乗客を集めることは、エレベーター使用の特にオフピーク期間中に、集めることが最も経済的であるエレベーターに関して実施される。
【００３２】
他方で、エレベーター内の乗客の数及びエレベーターの収容力がわかっているとき、例えばエレベーターの収容力を超える多くの乗客が待っているフロアーを素通りし、例えば次のフロアーで、エレベーター収容力の点で適合する数の待ち乗客をピックアップすることが可能である。
【００３３】
エレベーターは、通常、エレベーター内の負荷に関する情報を与える重量センサーを備える。しかしながら、重量センサーによって、エレベーターがどれほど満杯であるかを確定することは可能ではない。このため、エレベーター１Ａ、１Ｂ、１Ｃはまた、本発明の実施形態によるセンサー２’を備えることができる。これらのセンサーは、何人の乗客がエレベーター内にいるかに関する情報を与える。エレベーター内に配設されたセンサー２’はまた、或る乗客が、例えば倒れたかどうかに関する情報を与え、その場合、本発明の実施形態によるセンサーは、例えば人がエレベーター内で長い間動かない場合にアラームを与える安全システムの一部として使用することができる。
【００３４】
さらに、エレベーター内にセンサーを、本発明の実施形態に従って配置することによって、例えば、指示に反してエレベーター内で遊ぶ人々等による、無意味な押しによって引き起される無用の呼び／エレベーター停止を低減することができる。例えば、エレベーター内に１人又は２人だけがいて、これらの人々が、エレベーターかご、例えば行き先フロアー４乃至１５の呼びボタンを押した場合、この情報は、制御システムに送信することができ、制御システムは、制御システムのレジスターからその呼びを削除する。他方、エレベーターを去る人が、空のエレベーターの呼びボタンから１つ又は複数の行き先用の呼びを依然として押す場合、センサーは、エレベーターが空であるという情報を与え、制御システムは、レジスターからその呼びを削除できる。
【００３５】
実際には、最も自由のきく輸送収容力を有する、したがって、一般にその瞬間に最も手近なオプションである輸送代替設備に向かうようにガイダンスが構成されることが多い。最も手近なオプションはまた、エスカレーター又は通常の階段とすることができる。本発明によるシステムは、乗客イベントを監視し、また、（センサー２によって与えられる情報、並びに／又は、例えば、或るエレベーターシステムの利用率が増加すること、及び／又は、総移動時間が増加することに基づいて）或るエレベーターシステム内に混雑が存在することを検出する場合、別のエレベーター群又は何らかの他の代替のルートに向かうよう、到着する乗客に指示する。
【００３６】
したがって、本発明は、多数のエレベーター１Ａ．．．１Ｈを備えるエレベーターシステムにおいてエレベーターを制御するシステムに関する。本システムは、各フロアーＦ、Ｆ１、Ｆ２、Ｆ３．．．Ｆｎの各エレベーター１Ａ．．．１Ｈの待ちエリア内に配置される第１のセンサー手段２、２Ａ．．．２Ｈであって、少なくとも当該の待ちエリアにおいて、エレベーターを待つ乗客の存在及び数に関する情報を与えるように適合される、第１のセンサー手段２、２Ａ．．．２Ｈと、エレベーターを制御する手段であって、エレベーターを待つ乗客の存在及び数に関する情報を、センサー手段２、２Ａ．．．２Ｈから受信し、該センサー手段２、２Ａ．．．２Ｈから受信した情報を利用して、エレベーターシステムのエレベーター１Ａ．．．１Ｈの動きを制御するように適合される、エレベーターを制御する手段とを備える。
【００３７】
好ましい一実施形態によれば、本システムは、各エレベーター内に配置され、該エレベーター内にいる乗客の存在及び数に関する情報を与えるように適合される第２のセンサー手段２’を更に備える。
【００３８】
好ましい一実施形態によれば、本システムは、乗客を誘導する手段３、３Ａ．．．３Ｈを同様に備える。
【００３９】
好ましい一実施形態によれば、センサー手段２、２Ａ．．．２Ｈ、２’は、容量的に動作する平面センサーである。
【００４０】
好ましい一実施形態によれば、本システムは、エレベーターシステムに対する呼びを与える、少なくともエレベーターロビー内の手段５を更に備える。
【００４１】
好ましい一実施形態によれば、本システムは、エレベーターロビー内でエレベーター１Ａ、１Ｂ、１Ｃ．．．１Ｈの待ちエリアに対して少なくとも所望の移動方向に応じて乗客を誘導するように適合される、乗客を誘導する手段３、３Ａ．．．３Ｈを備える。
【００４２】
好ましい一実施形態によれば、ガイダンス手段３、３Ａ．．．３Ｈは光源バンド３を備える。
【００４３】
好ましい一実施形態によれば、ガイダンス手段３は光源３０を備え、該光源の表示はガイダンス情報を表すために使用される。
【００４４】
好ましい一実施形態によれば、センサー２、２Ａ．．．２Ｈが、フロアー表面上に、フロアー内に、フロアーカバー材の下に、若しくはフロアー構造の一部として、及び／又は、天井表面上に、天井内に、天井カバー材の上に、若しくは天井構造の一部として適合する。
【００４５】
好ましい一実施形態によれば、光源バンド３は、ＬＥＤ光源である光源３０を備える。
【００４６】
好ましい一実施形態によれば、センサー手段は、平面センサーウェブ構造であり、該平面センサーウェブ構造は、基板と、該基板上に形成されるセンサー素子を形成する導電性エリア２１と、該センサー素子を出力コネクター２３に接続する導体２２とを備え、センサー手段は、容量検出によって導電性対象物を監視するように適合される。
【００４７】
本発明が、上記で提示した実施形態に限定されないこと、しかし、本発明が、添付の特許請求の範囲内で変更することができることは当業者に明らかである。他の特有の特徴に関連して説明でおそらく提示される特有の特徴は、必要な場合、互いに別個に使用することができる。
【図１】
2013500221.tif 000003
【図１ａ】
2013500221.tif 000004
【図２】
2013500221.tif 000005
【図３】
2013500221.tif 000006
【図４】
2013500221.tif 000007
【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
多数のエレベーター（１Ａ．．．１Ｈ）を備えるエレベーターシステムにおいてエレベーターを制御するシステムであって、
該エレベーターを制御するシステムは、前記エレベーターを待つ乗客の数に関する情報を与えるように適応される、センサー手段と、前記エレベーターシステムの前記エレベーターの動きを制御するように適応される、前記エレベーターを制御する手段と、を備えており、
前記エレベーターを制御するシステムは、
各フロアー（Ｆ、Ｆ１、Ｆ２、Ｆ３．．．Ｆｎ）の各エレベーター（１Ａ．．．１Ｈ）の待ちエリア内に配置される第１のセンサー手段（２、２Ａ．．．２Ｈ）であって、少なくとも当該の待ちエリアにおいて、前記エレベーターを待つ乗客の存在及び数に関する情報を与えるように適合される、第１のセンサー手段（２、２Ａ．．．２Ｈ）と、
前記エレベーターを制御する手段であって、各フロアーの前記エレベーターを待つ乗客の存在及び数に関する情報を、前記第１のセンサー手段（２、２Ａ．．．２Ｈ）から受信し、該第１のセンサー手段（２、２Ａ．．．２Ｈ）から受信した前記情報を利用して、前記エレベーターシステムの前記エレベーター（１Ａ．．．１Ｈ）の動きを制御するように適合される、前記エレベーターを制御する手段と、
を備え、
前記第１のセンサー手段（２、２Ａ．．．２Ｈ）は、容量的に動作する平面センサーであることを特徴とする、システム。
【請求項２】
各エレベーター内に配置され、該エレベーター内にいる乗客の存在及び数に関する情報を与えるように適合される、第２のセンサー手段（２’）を更に備えることを特徴とする、請求項１に記載のシステム。
【請求項３】
乗客を誘導する手段（３）を更に備えることを特徴とする、請求項１又は２に記載のシステム。
【請求項４】
前記第２のセンサー手段（２’）は、容量的に動作する平面センサーであることを特徴とする、請求項２に記載のシステム。
【請求項５】
前記エレベーターシステムに対する呼びを与える、少なくともエレベーターロビー内の手段（５）を更に備えることを特徴とする、請求項１乃至４のいずれか１項に記載のシステム。
【請求項６】
エレベーターロビー内で前記エレベーター（１Ａ、１Ｂ、１Ｃ．．．１Ｈ）の待ちエリアに対して少なくとも所望の移動方向に応じて乗客を誘導するように適合されるガイダンス手段（３、３Ａ．．．３Ｈ）を備えることを特徴とする、請求項１乃至５のいずれか１項に記載のシステム。
【請求項７】
前記ガイダンス手段（３、３Ａ．．．３Ｈ）は光源バンド（３）を備えることを特徴とする、請求項１乃至６のいずれか１項に記載のシステム。
【請求項８】
前記ガイダンス手段（３、３Ａ．．．３Ｈ）は光源（３０）を備え、該光源（３０）の表示はエクスプレス情報を示すために使用されることを特徴とする、請求項１乃至７のいずれか１項に記載のシステム。
【請求項９】
前記第１のセンサー手段（２、２Ａ．．．２Ｈ）が、フロアー表面上に、フロアー内に、フロアーカバー材の下に、若しくはフロアー構造の一部として、及び／又は、天井表面上に、天井内に、天井カバー材の上に、若しくは天井構造の一部として適合されることを特徴とする、請求項１乃至８のいずれか１項に記載のシステム。
【請求項１０】
前記光源バンド（３）は、ＬＥＤ光源である光源（３０）を備えることを特徴とする、請求項１乃至９のいずれか１項に記載のシステム。
【請求項１１】
前記センサー手段は、平面センサーウェブ構造であり、該平面センサーウェブ構造は、基板と、該基板上に形成されるセンサー素子を形成する導電性エリア（２１）と、該センサー素子を出力コネクター（２３）に接続する導体（２２）とを備え、前記センサー手段は、容量検出によって導電性対象物を監視するように適合されることを特徴とする、請求項１乃至１０のいずれか１項に記載のシステム。
【国際調査報告】
2013500221.tif 000008
2013500221.tif 000009
2013500221.tif 000010